(57)【要約】      （修正有）【課題】パチンコ等の遊戯中の画面表示において、裸眼にて３次元画像が見え、且つ、３次元画像と２次元画像の切り替えが容易に行えるようにする３Ｄディスプレイシャッター機構を提供する。【解決手段】液晶ユニット１が嵌装される枠材２と、該枠材２の上部に水平方向に架設されたスパイラルシャフト３と、該スパイラルシャフト３の回転により左右方向に移動するスライドヘッド４と、該スライドヘッド４に一端が取り付けられた３Ｄシート付きシャッター枠５とを備える。さらに、前記スパイラルシャフト３の端部に設けられた従動ギア６と、該従動ギア６と噛合する駆動ギア７と直結するモーター８とからなり、該モーター８の回転により、前記３Ｄシート付きシャッター枠５が前記液晶ユニット１の前面で左右方向に移動して、裸眼で３次元画像を視認でき、２次元画像への切り替えも容易にできる。【選択図】図１
0003168561.tif 000002
【実用新案登録請求の範囲】
【請求項１】
パチンコ等の回胴式遊技機やアミューズメント遊技機の液晶ユニット前面に取り付けられる遊技機用裸眼３Ｄディスプレイシャッター機構であり、前記液晶ユニットが嵌装される枠材と、該枠材の上部に水平方向に架設されたスパイラルシャフトと、該スパイラルシャフトの回転により左右方向に移動するスライドヘッドと、該スライドヘッドに一端が取り付けられた３Ｄシート付きシャッター枠と、前記スパイラルシャフトの端部に設けられた従動ギアと、該従動ギアと噛合する駆動ギアと直結するモーターとからなり、該モーターの回転により、前記３Ｄシート付きシャッター枠が前記液晶ユニット前面で左右方向に移動することを特徴とする遊技機用裸眼３Ｄディスプレイシャッター機構。
【請求項２】
パチンコ等の回胴式遊技機やアミューズメント遊技機の液晶ユニット前面に取り付けられる遊技機用裸眼３Ｄディスプレイシャッター機構であり、前記液晶ユニットが嵌装される枠材と、該枠材の両端に垂直方向に架設された一対のスパイラルシャフトと、該スパイラルシャフトの回転により上下方向に移動する一対のスライドヘッドと、該スライドヘッドに各一端が取り付けられた３Ｄシート付きシャッター枠と、前記スパイラルシャフトの端部に設けられた一対の従動ギアと、該従動ギアと噛合する駆動ギアと直結する一対のモーターとからなり、該モーターの回転により、前記３Ｄシート付きシャッター枠が前記液晶ユニット前面で上下方向に移動することを特徴とする遊技機用裸眼３Ｄディスプレイシャッター機構。
【請求項３】
パチンコ等の回胴式遊技機やアミューズメント遊技機の液晶ユニット前面に取り付けられる遊技機用裸眼３Ｄディスプレイシャッター機構であり、前記液晶ユニットが嵌装される枠材と、該枠材の上部に設けられたピニオンギアと、前記枠材の上部に水平方向に設けられ、前記ピニオンギアの回転により左右方向に移動する一対のラックギアと、該ラックギアに一端が取り付けられた一対の３Ｄシート付きシャッター枠と、前記ピニオンギアの駆動軸と直結するモーターとからなり、該モーターの回転により、前記一対の３Ｄシート付きシャッター枠が前記液晶ユニット前面で左右方向に移動することを特徴とする遊技機用裸眼３Ｄディスプレイシャッター機構。
【請求項４】
パチンコ等の回胴式遊技機やアミューズメント遊技機の液晶ユニット前面に取り付けられる遊技機用裸眼３Ｄディスプレイシャッター機構であり、前記液晶ユニットが嵌装される枠材と、該枠材の上部に設けられた一対のピニオンギアと、前記枠材の上部に水平方向に設けられ、前記ピニオンギアの回転により左右方向に移動する一対のラックギアと、該ラックギアに一端が取り付けられた一対の３Ｄシート付きシャッター枠と、前記ピニオンギアの駆動軸と直結する一対のモーターとからなり、該モーターの回転により、前記一対の３Ｄシート付きシャッター枠が前記液晶ユニット前面で左右方向に移動することを特徴とする遊技機用裸眼３Ｄディスプレイシャッター機構。
【請求項５】
パチンコ等の回胴式遊技機やアミューズメント遊技機の液晶ユニット前面に取り付けられる遊技機用裸眼３Ｄディスプレイシャッター機構であり、前記液晶ユニットが嵌装される枠材と、該枠材の両端に設けられた一対のピニオンギアと、前記枠材の両端に垂直方向に設けられ、前記ピニオンギアの回転により上下方向に移動する一対のラックギアと、該ラックギアに各一端が取り付けられた３Ｄシート付きシャッター枠と、前記ピニオンギアの駆動軸と直結する一対のモーターとからなり、該モーターの回転により、前記３Ｄシート付きシャッター枠が前記液晶ユニット前面で上下方向に移動することを特徴とする遊技機用裸眼３Ｄディスプレイシャッター機構。
【請求項６】
パチンコ等の回胴式遊技機やアミューズメント遊技機の液晶ユニット前面に取り付けられる遊技機用裸眼３Ｄディスプレイシャッター機構であり、前記液晶ユニットが嵌装される枠材と、該枠材の上部に水平方向に架設されたスパイラルシャフトと、該スパイラルシャフトの回転により左右方向に移動するスライドヘッドと、該スライドヘッドに一端が取り付けられた３Ｄシート付きスライド枠と、前記スパイラルシャフトの端部に設けられた従動ギアと、該従動ギアと噛合する駆動ギアと直結する第１のモーターを備えるとともに、前記枠材の上部に設けられた一対のピニオンギアと、前記枠材の上部に水平方向に設けられ、前記ピニオンギアの回転により左右方向に移動する一対のラックギアと、該ラックギアに一端が取り付けられた一対の扉用シャッター枠と、前記ピニオンギアの駆動軸と直結する第２及び第３のモーターとを有し、前記第１のモーターの回転により、前記３Ｄシート付きスライド枠が前記液晶ユニット前面で左右方向に移動するとともに、前記第２及び第３のモーターの回転により、前記一対の扉用シャッター枠が前記液晶ユニット前面で左右方向に移動することを特徴とする遊技機用裸眼３Ｄディスプレイシャッター機構。
【請求項７】
前記３Ｄシート付きシャッター枠、前記３Ｄシート付きスライド枠、及び、前記扉用シャッター枠の移動を停止するため、その移動を感知するフォトセンサーが前記枠材上に設けられていることを特徴とする請求項１乃至請求項６に記載の遊技機用裸眼３Ｄディスプレイシャッター機構。
【請求項８】
前記３Ｄシート付きシャッター枠、前記３Ｄシート付きスライド枠、及び、前記扉用シャッター枠の移動をより確実に行うため、該３Ｄシート付きシャッター枠、該３Ｄシート付きスライド枠、及び、該扉用シャッター枠の自由端をサポートするガイド部材が前記枠材の下部に設けられていることを特徴とする請求項１、請求項３、請求項４又は請求項６に記載の遊技機用裸眼３Ｄディスプレイシャッター機構。
【考案の詳細な説明】
【技術分野】
【０００１】
本考案は、パチンコやパチスロ、アーケードゲームや業務用テレビ娯楽機を含むアミューズメント遊技機などに用いられる遊技機用裸眼３Ｄディスプレイシャッター機構に関する。
【背景技術】
【０００２】
昨今、３次元ディスプレイ技術を搭載したテレビが流行しているが、画像を立体的に見せるための眼鏡を必要とするものが殆どである。他方、３次元ディスプレイ技術には眼鏡を必要としないものがあり、裸眼式といわれている。裸眼式の３次元ディスプレイ技術は両眼視差を付与することで画像を立体的に見せるものであり、パララックス方式やレンチキュラー方式が知られているが、最近では解像度や輝度の減衰を大幅に抑制できるＣＬＤ方式などが開発されている。
【０００３】
これら３次元ディスプレイ技術は現在、イベントや広告、サイネージなどの分野で用いられているが、パチンコやパチスロ、業務用テレビ娯楽機などの分野では未だ用いられた実績はない。前記した３次元ディスプレイ技術を搭載したテレビをこれら遊技機のモニターとして用いることも可能ではあるが、非常にコストが掛かるほか、ユーザーが遊戯中に３Ｄ眼鏡を掛けたり外したりしなければならないため、現実問題として実現は困難である。
【０００４】
また、上で述べたパララックス方式やレンチキュラー方式、ＣＬＤ方式は特殊なフィルターを通して３次元画像を演出するが、３次元画像を長時間見ることでユーザーに吐き気やストレス、疲労を与える原因となるため、３Ｄ演出時以外はフィルターを通さずに２次元画像を見ることが望ましい。
【０００５】
最近では、特開２０１０−９３７４０号公報に記されるように、液晶シャッター付き眼鏡を用いて右眼用画像と左眼用画像のシャッター切り替えを行うことで両眼視差を付与し、それにより３次元画像も２次元画像も表示品質を劣化させずに表示できる装置やシステムが開発されているが、眼鏡を用いる構成であるほか、技術的に複雑であるため、到底、パチンコやパチスロなどの遊技機に採用し得るものではなかった。
【先行技術文献】
【特許文献】
【０００６】
【特許文献１】特開２０１０−９３７４０号公報
【考案の概要】
【考案が解決しようとする課題】
【０００７】
本考案は、遊戯中の画面表示において専用の眼鏡を用いることなく３次元画像の演出を行えるようにし、しかも、３次元画像と２次元画像の切り替えが容易に行えるようにすることで、パチンコ等の回胴式遊技機やアミューズメント遊技機の娯楽性や趣味性をより高めることを課題として開発された。
【課題を解決するための手段】
【０００８】
本考案は、如上の課題を解決するため、以下の遊技機用裸眼３Ｄディスプレイシャッター機構を提案する。
【０００９】
パチンコ等の回胴式遊技機やアミューズメント遊技機の液晶ユニット前面に取り付けられる遊技機用裸眼３Ｄディスプレイシャッター機構であり、前記液晶ユニットが嵌装される枠材と、該枠材の上部に水平方向に架設されたスパイラルシャフトと、該スパイラルシャフトの回転により左右方向に移動するスライドヘッドと、該スライドヘッドに一端が取り付けられた３Ｄシート付きシャッター枠と、前記スパイラルシャフトの端部に設けられた従動ギアと、該従動ギアと噛合する駆動ギアと直結するモーターとからなり、該モーターの回転により、前記３Ｄシート付きシャッター枠が前記液晶ユニット前面で左右方向に移動することを特徴とする遊技機用裸眼３Ｄディスプレイシャッター機構（請求項１）。
【００１０】
パチンコ等の回胴式遊技機やアミューズメント遊技機の液晶ユニット前面に取り付けられる遊技機用裸眼３Ｄディスプレイシャッター機構であり、前記液晶ユニットが嵌装される枠材と、該枠材の両端に垂直方向に架設された一対のスパイラルシャフトと、該スパイラルシャフトの回転により上下方向に移動する一対のスライドヘッドと、該スライドヘッドに各一端が取り付けられた３Ｄシート付きシャッター枠と、前記スパイラルシャフトの端部に設けられた一対の従動ギアと、該従動ギアと噛合する駆動ギアと直結する一対のモーターとからなり、該モーターの回転により、前記３Ｄシート付きシャッター枠が前記液晶ユニット前面で上下方向に移動することを特徴とする遊技機用裸眼３Ｄディスプレイシャッター機構（請求項２）。
【００１１】
パチンコ等の回胴式遊技機やアミューズメント遊技機の液晶ユニット前面に取り付けられる遊技機用裸眼３Ｄディスプレイシャッター機構であり、前記液晶ユニットが嵌装される枠材と、該枠材の上部に設けられたピニオンギアと、前記枠材の上部に水平方向に設けられ、前記ピニオンギアの回転により左右方向に移動する一対のラックギアと、該ラックギアに一端が取り付けられた一対の３Ｄシート付きシャッター枠と、前記ピニオンギアの駆動軸と直結するモーターとからなり、該モーターの回転により、前記一対の３Ｄシート付きシャッター枠が前記液晶ユニット前面で左右方向に移動することを特徴とする遊技機用裸眼３Ｄディスプレイシャッター機構（請求項３）。
【００１２】
パチンコ等の回胴式遊技機やアミューズメント遊技機の液晶ユニット前面に取り付けられる遊技機用裸眼３Ｄディスプレイシャッター機構であり、前記液晶ユニットが嵌装される枠材と、該枠材の上部に設けられた一対のピニオンギアと、前記枠材の上部に水平方向に設けられ、前記ピニオンギアの回転により左右方向に移動する一対のラックギアと、該ラックギアに一端が取り付けられた一対の３Ｄシート付きシャッター枠と、前記ピニオンギアの駆動軸と直結する一対のモーターとからなり、該モーターの回転により、前記一対の３Ｄシート付きシャッター枠が前記液晶ユニット前面で左右方向に移動することを特徴とする遊技機用裸眼３Ｄディスプレイシャッター機構（請求項４）。
【００１３】
パチンコ等の回胴式遊技機やアミューズメント遊技機の液晶ユニット前面に取り付けられる遊技機用裸眼３Ｄディスプレイシャッター機構であり、前記液晶ユニットが嵌装される枠材と、該枠材の両端に設けられた一対のピニオンギアと、前記枠材の両端に垂直方向に設けられ、前記ピニオンギアの回転により上下方向に移動する一対のラックギアと、該ラックギアに各一端が取り付けられた３Ｄシート付きシャッター枠と、前記ピニオンギアの駆動軸と直結する一対のモーターとからなり、該モーターの回転により、前記３Ｄシート付きシャッター枠が前記液晶ユニット前面で上下方向に移動することを特徴とする遊技機用裸眼３Ｄディスプレイシャッター機構（請求項５）。
【００１４】
パチンコ等の回胴式遊技機やアミューズメント遊技機の液晶ユニット前面に取り付けられる遊技機用裸眼３Ｄディスプレイシャッター機構であり、前記液晶ユニットが嵌装される枠材と、該枠材の上部に水平方向に架設されたスパイラルシャフトと、該スパイラルシャフトの回転により左右方向に移動するスライドヘッドと、該スライドヘッドに一端が取り付けられた３Ｄシート付きスライド枠と、前記スパイラルシャフトの端部に設けられた従動ギアと、該従動ギアと噛合する駆動ギアと直結する第１のモーターを備えるとともに、前記枠材の上部に設けられた一対のピニオンギアと、前記枠材の上部に水平方向に設けられ、前記ピニオンギアの回転により左右方向に移動する一対のラックギアと、該ラックギアに一端が取り付けられた一対の扉用シャッター枠と、前記ピニオンギアの駆動軸と直結する第２及び第３のモーターとを有し、前記第１のモーターの回転により、前記３Ｄシート付きスライド枠が前記液晶ユニット前面で左右方向に移動するとともに、前記第２及び第３のモーターの回転により、前記一対の扉用シャッター枠が前記液晶ユニット前面で左右方向に移動することを特徴とする遊技機用裸眼３Ｄディスプレイシャッター機構（請求項６）。
【００１５】
前記３Ｄシート付きシャッター枠、前記３Ｄシート付きスライド枠、及び、前記扉用シャッター枠の移動を停止するため、その移動を感知するフォトセンサーが前記枠材上に設けられていることを特徴とする請求項１乃至請求項６に記載の遊技機用裸眼３Ｄディスプレイシャッター機構（請求項７）。
【００１６】
前記３Ｄシート付きシャッター枠、前記３Ｄシート付きスライド枠、及び、前記扉用シャッター枠の移動をより確実に行うため、該３Ｄシート付きシャッター枠、該３Ｄシート付きスライド枠、及び、該扉用シャッター枠の自由端をサポートするガイド部材が前記枠材の下部に設けられていることを特徴とする請求項１、請求項３、請求項４又は請求項６に記載の遊技機用裸眼３Ｄディスプレイシャッター機構（請求項８）。
【考案の効果】
【００１７】
請求項１に係る本考案は、１つのスパイラルシャフトと１つのモーターを用いて１つの３Ｄシート付きシャッター枠を左右方向に移動させるものであるため、３次元画像の演出が画面の左右方向で行われる場合に適しており、また、構成部材の少ない簡素な機構であるため、製造やメンテナンスが容易であるばかりか、コストも低く抑えられるといったメリットがある。
【００１８】
請求項２に係る本考案は、２つのスパイラルシャフトと２つのモーターを用いて１つの３Ｄシート付きシャッター枠を上下方向に移動させるものであるため、３次元画像の演出が画面の上下方向で行われる場合に適している。また、１つの３Ｄシート付きシャッター枠の移動を２つのモーターが負担するため、モーターへの負荷が少ない堅牢な構造であり、３Ｄシート付きシャッター枠の移動もより確実に行えるメリットがある。
【００１９】
請求項３に係る本考案は、１つのラック＆ピニオン機構と１つのモーターを用いて２つの３Ｄシート付きシャッター枠を左右方向に移動させるものであるため、３次元画像の演出が画面全体で行われる場合や画面の両サイドで同期して行われる場合に適しており、また、構成部材の少ない簡素な機構であるため、製造やメンテナンスが容易であるばかりか、コストも低く抑えられるというメリットがある。
【００２０】
請求項４に係る本考案は、２つのラック＆ピニオン機構と２つのモーターを用いて２つの３Ｄシート付きシャッター枠を左右方向に移動させるものであるため、３次元画像の演出が画面全体で行われる場合や画面の両サイドで同期して行われる場合に適している。また、２つの３Ｄシート付きシャッター枠の移動をそれぞれ専用のモーターが負担するため、モーターへの負荷が少ない堅牢な構造であり、３Ｄシート付きシャッター枠の移動もより確実に行えるメリットがある。加えて、２つの３Ｄシート付きシャッター枠の移動をそれぞれ専用のモーターが負担することで、２つの３Ｄシート付きシャッター枠の移動の方向やタイミングをずらせて行うことも可能である。
【００２１】
請求項５に係る本考案は、２つのラック＆ピニオン機構と２つのモーターを用いて１つの３Ｄシート付きシャッター枠を上下方向に移動させるものであるため、３次元画像の演出が画面の上下方向で行われる場合に適している。また、１つの３Ｄシート付きシャッター枠の移動を２つのモーターが負担するため、モーターへの負荷が少ない堅牢な構造であり、３Ｄシート付きシャッター枠の移動もより確実に行えるといったメリットがある。
【００２２】
請求項６に係る本考案は、請求項１と請求項４の機構を組み合わせたものであり、１つのスパイラルシャフトと１つのモーターを用いて１つの３Ｄシート付きスライド枠を左右方向に移動させ、且つ、２つのラック＆ピニオン機構と２つのモーターを用いて２つの扉用シャッター枠を左右方向に移動させるものであるため、３次元画像の演出が画面の左右方向で、且つ、画面の一部を閉止して行われる場合に適している。また、２つの扉用シャッター枠の移動をそれぞれ専用のモーターが負担するため、画面の閉止を同期して行うだけでなく、方向やタイミングをずらせて行うことも可能である。
【００２３】
請求項７に係る本考案は、請求項１乃至請求項６において、３Ｄシート付きシャッター枠と３Ｄシート付きスライド枠及び扉用シャッター枠の移動を感知するフォトセンサーを設けたものであり、それにより所望の位置でこれらの移動を停止させることができる。
【００２４】
請求項８に係る本考案は、請求項１、請求項３、請求項４又は請求項６において、３Ｄシート付きシャッター枠と３Ｄシート付きスライド枠及び扉用シャッター枠の自由端をサポートするガイド部材を設けたものであり、それによりこれらの移動をより確実に行うことができる。
【図面の簡単な説明】
【００２５】
【図１】本考案の実施形態を示す概略斜視図である。
【図２】本考案の別の実施形態を示す概略斜視図である。
【図３】本考案の別の実施形態を示す概略斜視図である。
【図４】本考案の別の実施形態を示す概略斜視図である。
【図５】本考案の別の実施形態を示す概略斜視図である。
【図６】本考案の別の実施形態を示す概略斜視図である。
【考案を実施するための最良の形態】
【００２６】
以下、本考案の望ましい実施形態を、図面に基づいて説明する。
【実施例１】
【００２７】
図１は本考案の請求項１に係る実施形態を示すものであり、１つのスパイラルシャフトと１つのモーターを用いて１つの３Ｄシート付きシャッター枠を左右方向に移動させるタイプである。１は液晶ユニット、２は枠材、３はスパイラルシャフト、４はスライドヘッド、５は３Ｄシート付きシャッター枠、６は従動ギア、７は駆動ギア、８はモーター、ｇはガイド部材、ｐはフォトセンサー、ｔは３Ｄシートである。
【００２８】
この実施例では、図１に示すように、液晶ユニット１は枠材２の奥行き部に嵌装される。枠材２の上部に形成されたコーナー部には水平方向にスパイラルシャフト３が架設されており、その溝部と噛合することで、スパイラルシャフト３の回転により左右方向に移動するスライドヘッド４が設けられている。
【００２９】
３Ｄシート付きシャッター枠５は、その枠内に３Ｄシートｔが取り付けられており、その一端が前記スライドヘッド４に取り付けられることで、スパイラルシャフト３の回転によりスライドヘッド４と共に左右方向に移動する。液晶ユニット１の液晶画面で表示される３次元演出は、３Ｄシートｔを通すことで３次元画像を裸眼で視認することができるようになっている。
【００３０】
スパイラルシャフト３の端部には従動ギア６が設けられており、該従動ギア６と噛合する駆動ギア７と直結するモーター８が設けられている。それにより、モーター８が回転することで従動ギア５と同期してスパイラルシャフト３が回転し、３Ｄシートｔが取り付けられた３Ｄシート付きシャッター枠５は、液晶ユニット１の液晶画面中３次元画像が演出される部位に連動して左右方向に移動し、ユーザーが液晶画面を向いた状態で自動的に３次元画像を見ることが可能になる。
【００３１】
なお、枠材２の上部の左右端には３Ｄシート付きシャッター枠５を感知するフォトセンサーｐが設けられており、左右方向で液晶画面領域が露出した時点で３Ｄシート付きシャッター枠５を感知し、その移動が停止するような部位に取り付けられている。また、枠材２の下部にはガイド部材ｇが設けられており、３Ｄシート付きシャッター枠５の移動がより確実に行えるよう、その下部自由端をサポートしている。なお、フォトセンサーｐは３Ｄシート付きシャッター枠５の移動を感知できればよく、その取付部位については図示したものに限定されない。
【００３２】
図２は本考案の請求項２に係る実施形態を示すものであり、２つのスパイラルシャフトと２つのモーターを用いて１つの３Ｄシート付きシャッター枠を上下方向に移動させるタイプである。１は液晶ユニット、２は枠材、１０ａ及び１０ｂはスパイラルシャフト、１１ａ及び１１ｂはスライドヘッド、１２は３Ｄシート付きシャッター枠、１３ａ及び１３ｂは従動ギア、１４ａ及び１４ｂは駆動ギア、１５ａ及び１５ｂはモーター、ｐはフォトセンサー、ｔは３Ｄシートである。
【００３３】
この実施例では、図１の実施例と同様、液晶ユニット１は枠材２の奥行き部に嵌装される。枠材２の左右両端に形成されたコーナー部には垂直方向に立設するようスパイラルシャフト１０ａ及び１０ｂが架設されており、その溝部と噛合することで、スパイラルシャフト１０ａ及び１０ｂの回転により上下方向に移動するスライドヘッド１１ａ及び１１ｂが設けられている。
【００３４】
３Ｄシート付きシャッター枠１２は、その枠内に３Ｄシートｔが取り付けられており、その両端が前記スライドヘッド１１ａ及び１１ｂに取り付けられていることで、スパイラルシャフト１０ａ及び１０ｂの回転によりスライドヘッド１１ａ及び１１ｂと共に上下方向に移動する。３Ｄシートｔは前記したと同様、これを通して液晶画面を見ることで、３次元演出された３次元画像を裸眼で視認することができるようになっている。
【００３５】
スパイラルシャフト１０ａ及び１０ｂの端部には従動ギア１３ａ及び１３ｂが設けられており、該従動ギア１３ａ及び１３ｂと噛合する駆動ギア１４ａ及び１４ｂと直結するモーター１５ａ及び１５ｂが設けられている。それにより、モーター１５ａ及び１５ｂが回転することで従動ギア１３ａ及び１３ｂと同期してスパイラルシャフト１０ａ及び１０ｂが回転し、３Ｄシートｔが取り付けられた３Ｄシート付きシャッター枠１２は、液晶ユニット１の液晶画面中３次元画像が演出される部位に連動して上下方向に移動し、ユーザーが液晶画面を向いた状態で自動的に３次元画像を見ることが可能になる。
【００３６】
なお、枠材２には、液晶表示領域が露出した時点で３Ｄシート付きシャッター枠１２の移動を停止するためのフォトセンサーが上下各２個ずつ取り付けられているが、その取付部位については図示したものに限定されない。
【００３７】
図３は本考案の請求項３に係る実施形態を示すものであり、１つのラック＆ピニオン機構と１つのモーターを用いて２つの３Ｄシート付きシャッター枠を左右方向に移動させるタイプである。１は液晶ユニット、２は枠材、２０はピニオンギア、２１ａ及び２１ｂはラックギア、２２ａ及び２２ｂは３Ｄシート付きシャッター枠、２３はモーター、２４はガイドプレート、ｇはガイド部材、ｐはフォトセンサー、ｔ−１及びｔ−２は３Ｄシートである。
【００３８】
この実施例では、前記実施例と同様、液晶ユニット１は枠材２の奥行き部に嵌装される。枠材２の上部にはピニオンギア２０が設けられており、これと噛合することで、ピニオンギア２０の回転により左右方向に移動するラックギア２１ａ及び２１ｂが水平方向に配置されている。
【００３９】
３Ｄシート付きシャッター枠２２ａ及び２２ｂは、その枠内にそれぞれ３Ｄシートｔ−１及びｔ−２が取り付けられており、その一端が前記ラックギア２１ａ及び２１ｂに取り付けられていることで、ピニオンギア２０の回転によりラックギア２１ａ及び２１ｂと共に左右方向に移動する。３Ｄシートｔ−１及びｔ−２は前記したと同様、これを通して液晶画面を見ることで、３次元演出された３次元画像を裸眼で視認することができるようになっている。
【００４０】
ピニオンギア２０の駆動軸はモーター２３と直結しており、それにより、モーター２３が回転することでラックギア２１ａ及び２１ｂが左右方向に移動し、これと同期して３Ｄシートｔ−１及びｔ−２が取り付けられた３Ｄシート付きシャッター枠２２ａ及び２２ｂが、液晶ユニット１の液晶画面中３次元画像が演出される部位に連動して移動し、ユーザーが液晶画面を向いた状態で自動的に３次元画像を見ることが可能になる。なお、図面では、モーター２３は枠材２の上部全面を覆うガイドプレート２４上に取り付けられているが、モーター２３を固定できるものであれば良く、必ずしも図示したガイドプレート２４でなくても構わない。
【００４１】
なお、枠材２の上部の左右端には３Ｄシート付きシャッター枠２２ａ及び２２ｂを感知するフォトセンサーｐが設けられており、液晶画面領域が露出した時点で３Ｄシート付きシャッター枠２２ａ及び２２ｂを感知し、その移動が停止するような部位に取り付けられている。また、枠材２の下部にはガイド部材ｇが設けられており、３Ｄシート付きシャッター枠２２ａ及び２２ｂの移動がより確実に行えるよう、その下部自由端をサポートしている。なお、フォトセンサーｐは３Ｄシート付きシャッター枠２２ａ及び２２ｂの移動を感知できればよく、その取付部位については図示したものに限定されない。
【００４２】
図４は本考案の請求項４に係る実施形態を示すものであり、２つのラック＆ピニオン機構と２つのモーターを用いて２つの３Ｄシート付きシャッター枠を左右方向に移動させるタイプである。１は液晶ユニット、２は枠材、３０ａ及び３０ｂはピニオンギア、３１ａ及び３１ｂはラックギア、３２ａ及び３２ｂは３Ｄシート付きシャッター枠、３３ａ及び３３ｂはモーター、ｇはガイド部材、ｐはフォトセンサー、ｔ−１及びｔ−２は３Ｄシートである。
【００４３】
この実施例では、前記実施例と同様、液晶ユニット１は枠材２の奥行き部に嵌装される。枠材２の上部に形成された一対の突起片にはピニオンギア３０ａ及び３０ｂが設けられており、これと噛合することで、ピニオンギア３０ａ及び３０ｂの回転により左右方向に移動するラックギア３１ａ及び３１ｂが水平方向に配置されている。
【００４４】
３Ｄシート付きシャッター枠３２ａ及び３２ｂは、その枠内にそれぞれ３Ｄシートｔ−１及びｔ−２が取り付けられており、その一端が前記ラックギア３１ａ及び３１ｂに取り付けられていることで、ピニオンギア３０ａ及び３０ｂの回転によりラックギア３１ａ及び３１ｂと共に左右方向に移動する。３Ｄシートｔ−１及びｔ−２は前記したと同様、これを通して液晶画面を見ることで、３次元演出された３次元画像を裸眼で視認することができるようになっている。
【００４５】
ピニオンギア３０ａ及び３０ｂの各駆動軸はそれぞれモーター３３ａ及び３３ｂに直結しており、それにより、モーター３３ａ及び３３ｂが回転することでラックギア３１ａ及び３１ｂが左右方向に移動し、これと同期して３Ｄシートｔ−１及びｔ−２が取り付けられた３Ｄシート付きシャッター枠３２ａ及び３２ｂが、液晶ユニット１の液晶画面中３次元画像が演出される部位に連動して移動し、ユーザーが液晶画面を向いた状態で自動的に３次元画像を見ることが可能になる。なお、図面では、モーター３３ａ及び３３ｂは前記した突起片上に取り付けられているが、モーター３３ａ及び３３ｂを固定できるものであれば良く、必ずしも図示したものに限定されない。
【００４６】
なお、枠材２の上部左右には３Ｄシート付きシャッター枠３２ａ及び３２ｂを感知するフォトセンサーｐが設けられており、液晶画面領域が露出した時点で３Ｄシート付きシャッター枠３２ａ及び３２ｂを感知し、その移動が停止するような部位に取り付けられている。また、枠材２の下部にはガイド部材ｇが設けられており、３Ｄシート付きシャッター枠３２ａ及び３２ｂの移動がより確実に行えるよう、その下部自由端をサポートしている。なお、フォトセンサーｐは３Ｄシート付きシャッター枠３２ａ及び３２ｂの移動を感知できればよく、その取付部位については図示したものに限定されない。
【００４７】
図５は本考案の請求項５に係る実施形態を示すものであり、２つのラック＆ピニオン機構と２つのモーターを用いて１つの３Ｄシート付きシャッター枠を上下方向に移動させるタイプである。１は液晶ユニット、２は枠材、４０ａ及び４０ｂはピニオンギア、４１ａ及び４１ｂはラックギア、４２は３Ｄシート付きシャッター枠、４３ａ及び４３ｂはモーター、４４はブラケット、ｐはフォトセンサー、ｔは３Ｄシートである。
【００４８】
この実施例では、前記実施例と同様、液晶ユニット１は枠材２の奥行き部に嵌装される。枠材２の左右両端のブランケット４４上にはピニオンギア４０ａ及び４０ｂが設けられており、これと噛合することで、ピニオンギア４０ａ及び４０ｂの回転により左右方向に移動するラックギア４１ａ及び４１ｂが垂直方向に配置されている。
【００４９】
３Ｄシート付きシャッター枠４２は、その枠内に３Ｄシートｔが取り付けられており、その両端が前記ラックギア４１ａ及び４１ｂに取り付けられていることで、ピニオンギア４０ａ及び４０ｂの回転によりラックギア４１ａ及び４１ｂと共に上下方向に移動する。３Ｄシートｔは前記したと同様、これを通して液晶画面を見ることで、３次元演出された３次元画像を裸眼で視認することができるようになっている。
【００５０】
ピニオンギア４０ａ及び４０ｂの各駆動軸はそれぞれモーター４３ａ及び４３ｂに直結しており、それにより、モーター４３ａ及び４３ｂが回転することでラックギア４１ａ及び４１ｂが上下方向に移動し、これと同期して３Ｄシートｔが取り付けられた３Ｄシート付きシャッター枠４２が、液晶ユニット１の液晶画面中３次元画像が演出される部位に連動して移動し、ユーザーが液晶画面を向いた状態で自動的に３次元画像を見ることが可能になる。なお、図面では、モーター４３ａ及び４３ｂはブランケット上に取り付けられているが、モーター４３ａ及び４３ｂを固定できるものであれば良く、必ずしも図示したものに限定されない。
【００５１】
なお、枠材２の上部左右には３Ｄシート付きシャッター枠４２を感知するフォトセンサーｐが設けられており、液晶画面領域が露出した時点で３Ｄシート付きシャッター枠４２を感知し、その移動を停止できるような部位に取り付けられているが、その取付部位については図示したものに限定されない。
【００５２】
図６は本考案の請求項６に係る実施形態を示すものであり、請求項１と請求項４の機構を組み合わせ、１つのスパイラルシャフトと１つのモーターを用いて１つの３Ｄシート付きスライド枠を左右方向に移動させ、且つ、２つのラック＆ピニオン機構と２つのモーターを用いて２つの扉用シャッター枠を左右方向に移動させるタイプである。１は液晶ユニット、２は枠材、５０はスパイラルシャフト、５１はスライドヘッド、５２は３Ｄシート付きスライド枠、５３は従動ギア、５４は駆動ギア、５５は第１のモーター、５６ａ及び５６ｂはピニオンギア、５７ａ及び５７ｂはラックギア、５８ａ及び５８ｂは扉用シャッター枠、５９ａ及び５９ｂは第１及び第２のモーター、ｄ−１及びｄ−２は扉、ｇはガイド部材、ｐはフォトセンサー、ｓｐ−１及びｓｐ−２はスライド枠用フォトセンサーである。
【００５３】
この実施例では、前記実施例と同様、液晶ユニット１は枠材２の奥行き部に嵌装される。枠材２の上部に形成されたコーナー部には水平方向にスパイラルシャフト５０が架設されており、その溝部と噛合することで、スパイラルシャフト５０の回転により左右方向に移動するスライドヘッド５１が設けられている。
【００５４】
３Ｄシート付きスライド枠５２は、その枠内に３Ｄシートｔが取り付けられており、その一端が前記スライドヘッド５１に取り付けられることで、スパイラルシャフト５０の回転によりスライドヘッド５１と共に左右方向に移動する。液晶ユニット１の液晶画面で表示される３次元演出は、３Ｄシートｔを通すことで３次元画像を裸眼で視認することができるようになっている。
【００５５】
スパイラルシャフト５０の端部には従動ギア５３が設けられており、該従動ギア５３と噛合する駆動ギア５４と直結する第１のモーター５５が設けられている。それにより、第１のモーター５５が回転することで従動ギア５３と同期してスパイラルシャフト５０が回転し、３Ｄシートｔが取り付けられた３Ｄシート付きスライド枠２は、液晶ユニット１の液晶画面中３次元画像が演出される部位に連動して左右方向に移動し、ユーザーが液晶画面を向いた状態で自動的に３次元画像を見ることが可能になる。
【００５６】
加えて、枠材２の上部に形成された一対の突起片にはピニオンギア５６ａ及び５６ｂが設けられており、これと噛合することで、ピニオンギア５６ａ及び５６ｂの回転により左右方向に移動するラックギア５７ａ及び５７ｂが水平方向に配置されている。
【００５７】
扉用シャッター枠５８ａ及び５８ｂは、その枠内にそれぞれ扉ｄ−１及びｄ−２が取り付けられており、その一端が前記ラックギア５７ａ及び５７ｂに取り付けられていることで、ピニオンギア５６ａ及び５６ｂの回転によりラックギア５７ａ及び５７ｂと共に左右方向に移動する。扉ｄ−１及びｄ−２は非透明性の素材であり、扉用シャッター枠内に嵌め殺しされており、３次元画像を見るための機能は与えられていない。
【００５８】
ピニオンギア５６ａ及び５６ｂの各駆動軸はそれぞれ第２のモーター５９ａ及び第３のモーター５９ｂに直結しており、それにより、第２のモーター５９ａ及び第３のモーター５９ｂが回転することでラックギア５７ａ及び５７ｂが左右方向に移動し、これと同期して扉ｄ−１及びｄ−２が嵌め込まれた扉用シャッター枠５８ａ及び５８ｂも移動することになる。扉用シャッター枠５８ａ及び５８ｂはいってみれば舞台カーテンのような性格を持たせてあり、これが開いたところで、その内側に前記した３Ｄシート付きスライド枠５２が出現し、液晶画面の３次元画像が演出される部位に応じて左右方向に移動することになる。図面では、第２のモーター５９ａ及び第３のモーター５９ｂは前記した突起片上に取り付けられているが、これらを固定できるものであれば良く、必ずしも図示したものに限定されない。
【００５９】
なお、枠材２の上部左右には３Ｄシート付きスライド枠５２を感知するスライド用フォトセンサーｓｐ−１及びｓｐ−２が設けられており、その左右方向の移動を感知して停止できるような部位に取り付けられているが、その取付部位については図示したものに限定されない。また、同じく枠材２の上部左右には扉用シャッター枠５８ａ及び５８ｂを感知するフォトセンサーｐが設けられており、左右に開いて液晶表示領域が露出した時点で、扉用シャッター枠５８ａ及び５８ｂの移動が停止できるようになっている。加えて、枠材２の下部にはガイド部材ｇが設けられており、扉用シャッター枠５８ａ及び５８ｂの移動がより確実に行えるよう、その下部自由端をサポートしている。３Ｄシート付きスライド枠５２は、その下部自由端が枠材２に形成された溝部に嵌め込まれており、これがガイド部材としての役目を果たしている。
【００６０】
以上のように、請求項１乃至請求項６に係る実施例の構成とすることで、液晶画面が３次元画像の演出に切り替わる時だけ３Ｄシート付きシャッター枠又は３Ｄシート付きスライド枠を現出させ、画面中の３次元演出される部位の前面に移動させ、これを通して画面を見るだけで、３次元画像を裸眼にて視認することができる。また、液晶画面が３次元画像の演出でなくなった場合は、３Ｄシート付きシャッター枠又は３Ｄシート付きスライド枠を左右又は上下に移動させ、液晶表示領域の全面が露出する部位まで退避させて停止することで、容易に２次元画像に切り替えることができるため、ユーザーは体調を害することなく、そのまま遊戯を継続することができる。なお、３次元画像の演出は遊技機に備え付けの主基板、副基板、画像基板を通じて行われ、自動的に実行されるようにすることも、また、演出ボタンを設けてユーザーの意思で実行できるようにすることも可能であるが、本考案は遊技機用裸眼３Ｄディスプレイシャッター機構に関するものであるから、裸眼での３次元演出の実行技術については敢えて言及しない。
【産業上の利用可能性】
【００６１】
本考案に係る遊技機用裸眼３Ｄディスプレイシャッター機構は、パチンコ、パチスロなどの回胴式遊技機の分野のほか、アーケードゲームや業務用テレビ娯楽機を含むアミューズメント遊技機の分野でも利用することができる。
【符号の説明】
【００６２】
１    液晶ユニット
２    枠材
３、１０ａ、１０ｂ、５０    スパイラルシャフト
４、１１ａ、１１ｂ、５１    スライドヘッド
５、１２、２２ａ、２２ｂ、３２ａ、３２ｂ、４２    ３Ｄシート付きシャッター枠
６、１３ａ、１３ｂ、５３    従動ギア
７、１４ａ、１４ｂ、５４    駆動ギア
８、１５ａ、１５ｂ、２３、３３ａ、３３ｂ、４３ａ、４３ｂ    モーター
２０、３０ａ、３０ｂ、４０ａ、４０ｂ、５６ａ、５６ｂ    ピニオンギア
２１ａ、２１ｂ、３１ａ、３１ｂ、４１ａ、４１ｂ、５７ａ、５７ｂ    ラックギア
５２    ３Ｄシート付きスライド枠
５５    第１のモーター
５８ａ、５８ｂ    扉用シャッター枠
５９ａ    第２のモーター
５９ｂ    第３のモーター
ｄ−１、ｄ−２    扉
ｇ    ガイド部材
ｐ    フォトセンサー
ｓｐ−１、ｓｐ−２    スライド用フォトセンサー
ｔ、ｔ−１、ｔ−２    ３Ｄシート
【図１】
0003168561.tif 000003
【図２】
0003168561.tif 000004
【図３】
0003168561.tif 000005
【図４】
0003168561.tif 000006
【図５】
0003168561.tif 000007
【図６】
0003168561.tif 000008